(57)【特許請求の範囲】
【請求項１】
遊技盤が装着される内枠の前面に、クリア部材保持枠を開閉可能に設け、該クリア部材保持枠の開口部を塞ぐ板状のクリア部材を通して当該遊技盤の遊技部を見られるようにした遊技機において、
上記クリア部材保持枠は、
上記クリア部材により塞がれる開口部を中央部分に設けた合成樹脂製のクリア部材保持枠本体と、
該クリア部材保持枠本体の裏面側に固定される補助金属板と、
を備え、
上記クリア部材保持枠本体の上部中央には、前面が開口する横長な箱状体の収納室を形成するとともに、該収納室に発光源を設けて収納室の前面開口部をレンズカバーによって覆い、
上記補助金属板は、前面部分の外側の縁部を後方に折り返して異物挿入阻止壁として機能する折り返し部を形成し、該折り返し部を上記クリア部材保持枠本体の後端よりも後方に突出させ、
上記収納室は、後部が上記クリア部材保持枠本体の裏側に突出し、
上記内枠には、上記クリア部材保持枠を閉じた状態で上記折り返し部が嵌合可能な凹部を形成するとともに、上記収納室が入り込む開口部を開設したことを特徴とする遊技機。
【発明の詳細な説明】
【０００１】
【発明の属する技術分野】
本発明は、前面にクリア部材保持枠を開閉可能に設け、該クリア部材保持枠のクリア部材により遊技部の前面を覆ったパチンコ遊技機やスロット遊技機（パチスロ遊技機）などの遊技機に関するものである。
【０００２】
【従来の技術】
従来、パチンコ機のクリア部材たるガラスを保持して内枠の前面側に開閉可能に備えられるクリア部材保持枠（所謂ガラス保持枠）は金属製であり、このガラス保持枠にはランプ装飾装置などの装飾装置を設けることは、スペース上の問題から、また、構造が複雑になってしまうので、実際には行なわれていない。その代わりに、ガラス保持枠の周囲を囲む内枠（前面枠）の表面にランプ表示器などの装飾装置を設けていた。
【０００３】
一方、最近では、パチンコ機においてそのガラス保持枠であるクリア部材保持枠を合成樹脂により成型し、これを内枠たる前面枠に開閉可能に取り付けることが考えられている。このように合成樹脂によりクリア部材保持枠を形成することは、パチンコ機の前面側のデザインを金属製の場合に比べて任意に設計できるという長所を有し、また、合成樹脂製であればリサイクルが容易であり天然資源の保護にも寄与する。さらに、クリア部材保持枠を合成樹脂製にすると、ランプ表示器などの装飾装置を、金属製ガラス保持枠に比較して、デザインを統一した状態で設け易く、また、装飾装置の数も従来よりも増加することが容易である。
【０００４】
【発明が解決しようとする課題】
しかしながら、クリア部材保持枠にランプ装飾装置などの電気部品を設けると、これらの電気部品をクリア部材保持枠本体の前後の厚み内に収納することができないので、前方に突出した状態で設けたり、或は裏側に電気配線が出てしまう。また、前方への突出長さを大きくすると、クリア部材保持枠の開閉時に突出部分が隣りのパチンコ機に当ったりするばかりでなく、デザイン上もバランスを採り難い。
【０００５】
また、クリア部材保持枠本体を合成樹脂製にすると、合成樹脂が金属に比較して強度が低いので、クリア部材保持枠本体の裏面に金属補強材を設けるが、クリア部材保持枠本体の裏側に突出する長さを大きくすることにより電気部品を収納するように構成すると、上記金属補強材を取り付けることが困難になるし、裏側への突出長さが大きいと、クリア部材保持枠を閉じる際に裏側の内枠と干渉してしまう。
【０００６】
そこで、本発明の目的は、上記不都合を解消し、クリア部材保持枠にランプ装飾装置などを設ける場合に、これらの電気的部材を収納するスペースを確保することができ、しかもクリア部材保持枠本体が十分な強度を得られる遊技機を提供しようとするものである。
【０００７】
【課題を解決するための手段】
本発明は上記目的を達成するために提案されたもので、請求項１に記載のものは、遊技盤が装着される内枠の前面に、クリア部材保持枠を開閉可能に設け、該クリア部材保持枠の開口部を塞ぐ板状のクリア部材を通して当該遊技盤の遊技部を見られるようにした遊技機において、
上記クリア部材保持枠は、
上記クリア部材により塞がれる開口部を中央部分に設けた合成樹脂製のクリア部材保持枠本体と、
該クリア部材保持枠本体の裏面側に固定される補助金属板と、
を備え、
上記クリア部材保持枠本体の上部中央には、前面が開口する横長な箱状体の収納室を形成するとともに、該収納室に発光源を設けて収納室の前面開口部をレンズカバーによって覆い、
上記補助金属板は、前面部分の外側の縁部を後方に折り返して異物挿入阻止壁として機能する折り返し部を形成し、該折り返し部を上記クリア部材保持枠本体の後端よりも後方に突出させ、
上記収納室は、後部が上記クリア部材保持枠本体の裏側に突出し、
上記内枠には、上記クリア部材保持枠を閉じた状態で上記折り返し部が嵌合可能な凹部を形成するとともに、上記収納室が入り込む開口部を開設したことを特徴とする遊技機である。
【０００８】
【発明の実施の態様】
以下、本発明の実施の態様を図面に基づいて説明する。
図１は代表的な遊技機であるパチンコ遊技機１の斜視図、図２はクリア部材保持枠２を開放したパチンコ遊技機１の斜視図、図３はクリア部材保持枠２の背面図、図４はクリア部材保持枠２の右側面図である。
【０００９】
パチンコ遊技機１は、前後が開放した矩形の外枠（機枠）３と、該外枠３の一側（本実施態様では図中左側）に上下のヒンジ機構４，４により外枠３の前面開口部分に対して開閉可能に軸着した額縁状の内枠５と、該内枠５の一側にヒンジ機構６，６により開閉可能に軸着して内枠５の上半を全幅にわたって被うようにして設けたクリア部材保持枠２と、該クリア部材保持枠２の下方一側にヒンジ機構により開閉可能に軸着して内枠５の下半を全幅にわたって被うようにして設けた開閉パネル７などからなり、内枠５の窓部から後方に一体成形した遊技盤収納枠８内に遊技盤９を装着してクリア部材保持枠２を閉じると、遊技盤９の表面に形成した遊技部１０がパチンコ遊技機１の前面に臨んで、この遊技部１０を遊技者がクリア部材保持枠２のクリア部材である板ガラスを通して見られるように構成されている。また、開閉パネル７の表面に上皿１１を、開閉パネル７の下側の内枠５の前面部分には下皿１２と打球発射装置の発射操作ハンドル１３をそれぞれ設けてある。
【００１０】
内枠５は、合成樹脂製であって、図６に示すように、遊技盤収納枠８の上部に、後述する収納室１４が入る位置と大きさの開口部１５、即ち横長な開口部１５を遊技盤収納枠８に連通して開設してある。そして、この内枠５は、施錠装置の一部を構成するフックによって外枠３の他側の係止部材に自由端側が施錠され、また、クリア部材保持枠２は、施錠装置を構成する他のフック１６，１６によって自由端側が内枠５の他側に施錠され、これらは内枠５の上部一側に設けたシリンダ錠１７の鍵穴に差し込んだ鍵を一方に回動すると内枠５が、他方に回動するとクリア部材保持枠２が解錠する構成となっている。
【００１１】
クリア部材保持枠２は、図面に示すように、中央部分を大きく開口した合成樹脂製のクリア部材保持枠本体２０としてのロ字状ガラス保持枠本体と、該クリア部材保持枠本体２０の裏面側に固定された補助金属板２１と、板状のクリア部材である板ガラス２２を２枚周縁枠２３で一体化してクリア部材保持枠本体２０の開口部を塞ぐようにして取り付けたガラスユニット２４とが主要な構成部材である。
【００１２】
そして、本実態様ではクリア部材保持枠本体２０の上部中央に、前面が開放して後部が裏側に突出する状態で収納室１４を一体成形し、この収納室１４を利用してパイロットランプ２５を設け、また、クリア部材保持枠本体２０の開口部の内側縁に沿って半透明装飾部材である略Ｕ字状のレンズ部材２６を設け、該レンズ部材２６の一部を前面から覆うスピーカ用装飾部材２６′を取り付けてある。なお、クリア部材保持枠２の開口部の形状は、矩形に限定されるものではなく、例えば円形や楕円形でもよい。また、クリア部材は透明プラスチック板でもよい。
【００１３】
上記した構成から成るガラス保持枠本体２０の裏側に、収納室１４の部分を除いて固定する補助金属板２１は、左右二つのＬ字状の第１補助金属片２１ａ，第２補助金属片２１ｂと、両補助金属片２１ａ，２１ｂの脚部の下端間を連結する第３補助金属片２１ｃとを連結してなる。そして、第１，第２，第３補助金属片２１ａ，２１ｂ，２１ｃを連結した状態でガラス保持枠本体２０の裏面に、ボス部を利用してビスにより強固に固定し、これによりクリア部材保持枠本体２０の強度を背面から補強する。なお、補強金属板２１を固定しない部分は、後述するように、一体成形した収納室１４により十分な強度が得られるので、この収納室１４の部分には補助金属板２１を固定する必要はない。
【００１４】
また、第１，第２，第３補助金属片２１ａ，２１ｂ，２１ｃのいずれも前面部分の外側の縁部を後方に折り返して折り返し部を形成する。この折り返し部がピアノ線等の侵入を防止する異物挿入阻止壁２７として機能する部分なので、ガラス保持枠本体２０の後端よりも後方に突出する寸法に設定することが望ましい。そして、クリア部材保持枠２を閉じた状態で折り返し部が内枠５と重なり合う様に構成する。例えば、内枠５の前面、特に不正行為が行なわれ易い左右の辺に折り返し部が嵌合可能な凹部２９を形成する。
【００１５】
この様に構成すると、クリア部材保持枠２の左右部分と内枠５との間の隙間からピアノ線等が差し込まれても、これらの先端が折り返し部（異物挿入阻止壁２７）に当接し、これにより侵入を阻止することができる。
【００１６】
ガラス保持枠本体２０は、本実施態様では図３に示すように、合成樹脂から成る全体がロ字状の枠体として一体成形する。このガラス保持枠本体２０の両縁部は裏面側に折り返した様な形状に成形され、両折り返し部と前面部とによって裏面側に開口した凹室部３０を形成し、この凹室部３０が後述するレンズ部材２６の裏側の空間と連通して電気的部材処理空間となり、この電気的部材処理空間内に装飾装置の発光源や配線等の電気的部材を収納できるように構成されている。なお、折り返し部は、単に凹室部３０を形成するだけではなく、前面部と直交する方向に壁状に形成されているので、ガラス保持枠本体２０自体の強度を高める補強部としても機能している。
【００１７】
そして、上記電気的部材処理空間は、図３に示すように、ガラス保持枠本体の裏面に取り付ける前記補助金属板２１ａ，２１ｂ，２１ｃによりカバーされる。したがって、補助金属板２１ａ，２１ｂ，２１ｃを取り付けた後は、電気的部材処理空間内に収納した配線コード等の電気的部材は、補助金属板２１により覆い隠されてしまい、クリア部材保持枠２を開放した状態でも体裁を損ねることはない。また、補助金属板２１ａ，２１ｂ，２１ｃは、電気的部材処理空間の背面を後方から塞ぐようにして配設されているので、この電気的部材処理空間内の設ける発光源（蛍光管３１）の光を前方のレンズ部材２６側に反射させて輝きを増強する反射鏡としても機能するので、レンズ部材２６側に向いた補助金属板２１の表面に、メッキや白色塗装などの光反射処理を施すことが望ましい。
【００１８】
上記した凹室部３０は、クリア部材保持枠本体２０の前面部と折り返し部と背面の補助金属板２１とによって囲まれた空間であるので、前後長さを大きく採ることは困難であるが、この凹室部３０とは別個に形成する収納室１４は、凹室部３０の数倍の前後長さを採ることができる。
【００１９】
この収納室１４は、クリア部材保持枠本体２０の上部中央に、クリア部材保持枠本体２０と一体成形することにより形成され、前面のみが開放して上下左右及び背面が壁面で構成された横長な箱状体であって、後部がクリア部材保持枠本体２０の裏側に突出する状態で形成されている。この様に、クリア部材保持枠本体２０の裏側に突出する状態で収納室１４を形成しても、クリア部材保持枠２を閉じた場合には、図６に示すように、収納室１４が内枠５の開口部１５内に入り込むので、クリア部材保持枠２の開閉、特に閉止状態での干渉を防止することができ、何等支障はない。
【００２０】
また、本実施態様における収納室１４は、前面のみが開口した箱状体に形成されているので、この箱状体を構成している上下左右および背面の壁面がクリア部材保持枠本体２０の補強材としても機能する。したがって、補助金属板２１をクリア部材保持枠本体２０の裏面に固定して補強しなくても、収納室１４を形成した部分は、クリア部材保持枠本体２０自体が十分な剛性を有する。
【００２１】
そして、本実施態様では、この収納室１４を利用してパイロットランプ２５として機能させるので、収納室１４の内部に、発光源としての蛍光管３３を設けるとともに、該蛍光管３３用の附属電気的部材（例えば変圧器，チョーク，インバーターなど）３４を設ける。
【００２２】
蛍光管３３を収納室１４内に設けるには、図６に示すように、収納室１４の壁面に一体成形した柱状の取付部３５に取付ベース３６をビス止めし、この取付ベース３６に開設した取付孔内に、保持具３７の係止脚部３８を嵌合し、保持具３７に一体成型した一部切欠リング状の保持腕３９内に蛍光管３３を嵌合して保持する。
【００２３】
また、蛍光管３３用の附属電気的部材３４を取り付けるには、蛍光管３３と同様に、取付部３５にビス止めする。そして、蛍光管３３と附属電気的部材３４との間を配線コード４０により接続に、附属電気的部材３４への配線コード４１は、壁面に開設した配線用開口窓部４２を通して所定のコネクタに接続する。なお、配線用開口窓部４２は、クリア部材保持枠本体２０の軸着側に開設し、クリア部材保持枠２を開閉した際に配線コード４１が引っ張られて断線するなどのトラブルを未然に防止することができる。
【００２４】
この様にして収納室１４内に蛍光管３３および蛍光管３３用附属電気的部材３４を設けて、収納室１４の前面開口部分をレンズカバー４４によって閉塞すると、パイロットランプ２５が構成される。そして、収納室１４内に設ける蛍光管３３は、前記凹室部３０とは異なり前後寸法を十分に大きく設定することができ十分な収納空間を有しているので、前記凹室部３０内には取り付けることができない程に直径の大きな蛍光管３３であっても設けることができる。
【００２５】
したがって、本実施態様によるパイロットランプ２５においては、従来のパイロットランプよりも大きな光量で発光表示することができ、視認性および装飾性を著しく向上させることができる。なお、発光源は蛍光管３３に限らず、例えば白熱ランプでもよく、この場合にも従来のランプよりも大きなワット数のランプを使用することができる。
【００２６】
また、本実施態様では、収納室１４内に電気的部材の一種であるスピーカ４５を設け、該スピーカ４５の配線コード４６を前記配線用開口窓部４２を通して所定のコネクタに接続する。この様に、スピーカ４５を収納室１４内に設けると、収納室１４自体がスピーカーボックスとして機能する。したがって、スピーカーボックスにより音響処理を施して迫力のある装飾音を発生することができ、特に、低音域の音はスピーカーボックスによって迫力のある音になる。このため、音域に厚みのある音によって遊技の興趣を聴覚を介して一層高めることができる。
【００２７】
なお、低音域の音は、スピーカーボックスを備えていない従来のスピーカ取付構造によっても十分に鳴るので、例えばＵ字状レンズ部材２６に高音用スピーカ４７を取り付け、低音乃至中音用のスピーカ４５を収納室１４内に設け、これらのスピーカ４５，４７から発生する低音から高音に亙る広い領域の効果音によって臨場感を高め、これにより遊技の興趣を高めることもできる。
【００２８】
また、本実施態様におけるクリア部材保持枠２は、上部両隅角部に切欠部５０ａ，５０ｂを形成し、自由端側の切欠部５０ｂによって内枠５の閉止状態におけるシリンダ錠１７の肉厚な取付部３５との干渉を回避し、軸着基端側の切欠部５０ａによってヒンジ機構４との干渉を回避する。この様に、シリンダ錠１７を内枠５の上部一側に配設すると、パチンコ遊技機１の前に遊技者が座っていたとしても、周囲からはシリンダ錠１７が良く見えるので、即ち店員が監視し易い位置にあるので、シリンダ錠１７に対する不正行為を有効に防止する効果がある。
【００２９】
なお、上記した実施態様においては、収納室１４に発光源として蛍光管３３を設けて前面開口部をレンズカバー４４で覆うことによりパイロットランプ２５としたが、同様の構成によりランプ表示器、装飾ランプなどとしても使用することができる。また、収納室１４内に設ける電気的部材は、蛍光管３３や白熱ランプなどの発光源やスピーカ４５や配線コード４０，４１，４６に限定されるものではない。
【００３０】
例えば、図７に示す他の実施態様は、文字や図柄などを表示可能な液晶表示器あるいはドットマトリクス表示器などの表示器５１を収納室１４の前面に取付部３５により取り付け、該表示器５１の裏側に設けた表示器用制御装置５２を収納室１４内に収納するように構成したものであり、表示器用制御装置５２の配線コード５３は、前記実施態様と同様に、配線用開口窓部４２に通して所定のコネクタに接続する。液晶表示器５１やドットマトリクスなどの表示器用制御装置５２は嵩張るので、従来の前面枠やクリア部材保持枠本体２０に設けることはできないが、本発明にかかる収納室１４であれば内容積が大きく、特に前後寸法を大きく採ることができるので、十分に収納することができる。
【００３１】
そして、この表示器５１には、遊技中においては遊技に関連して絵柄や文字を表示する。また、この表示器５１は、パチンコ遊技機１の前に座って遊技を行なっている遊技者よりも、むしろ遊技するパチンコ遊技機１を探している人から見やすいので、当該パチンコ遊技機１の来歴（大当り発生回数や発射球数）などの遊技データを表示して選択の手がかりにしてもよいし、また、店内の係員からも見やすいので、大当りの発生を知らせたり、不正行為、トラブルの発生を知らせる報知用表示器５１として活用してもよい。
【００３２】
また、収納室１４を形成する位置は、クリア部材保持枠本体２０の上部中央に限定されるものではなく、適宜に設計変更することができる。
【００３３】
さらにまた、上記した実施態様はパチンコ遊技機１について説明したが、本発明はこれに限定されるものではなく、例えばパチスロ遊技機、アレンジボール遊技機、雀球遊技機など、遊技を直接行なう遊技部１０が前面に臨む遊技機であればどのような遊技機でもよい。
【００３４】
【発明の効果】
以上説明したように本発明によれば、遊技盤が装着される内枠の前面に、クリア部材保持枠を開閉可能に設け、該クリア部材保持枠の開口部を塞ぐ板状のクリア部材を通して当該遊技盤の遊技部を見られるようにした遊技機において、上記クリア部材保持枠は、上記クリア部材により塞がれる開口部を中央部分に設けた合成樹脂製のクリア部材保持枠本体と、該クリア部材保持枠本体の裏面側に固定される補助金属板と、を備え、上記クリア部材保持枠本体の上部中央には、前面が開口する横長な箱状体の収納室を形成するとともに、該収納室に発光源を設けて収納室の前面開口部をレンズカバーによって覆い、上記補助金属板は、前面部分の外側の縁部を後方に折り返して異物挿入阻止壁として機能する折り返し部を形成し、該折り返し部を上記クリア部材保持枠本体の後端よりも後方に突出させ、上記収納室は、後部が上記クリア部材保持枠本体の裏側に突出し、上記内枠には、上記クリア部材保持枠を閉じた状態で上記折り返し部が嵌合可能な凹部を形成するとともに、上記収納室が入り込む開口部を開設したので、クリア部材保持枠を前方に無理に突出させる必要がなくなり、デザイン上にも自然な感じを与えてバランスの採れたデザインを採用することができる。
また、クリア部材保持枠本体は、補助金属板を裏面に固定でき難い部分も収納室により強度を確保することができる。さらに、クリア部材保持枠と内枠との間の隙間からピアノ線等が差し込まれても、侵入を阻止することができる。
【図面の簡単な説明】
【図１】パチンコ遊技機の斜視図である。
【図２】クリア部材保持枠を開いた状態におけるパチンコ遊技機の斜視図である。
【図３】クリア部材保持枠の背面図である。
【図４】クリア部材保持枠の右側面図である。
【図５】蛍光管およびスピーカを設ける収納室の後方からの斜視図である。
【図６】図５に示す収納室の断面図である。
【図７】液晶表示器を設ける収納室の後方からの斜視図である。
【符号の説明】
１  パチンコ遊技機
２  クリア部材保持枠
３  外枠
４  内枠用ヒンジ機構
５  内枠
６  クリア部材保持枠用のヒンジ機構
７  開閉パネル
８  遊技盤収納枠
９  遊技盤
１０  遊技部
１４  収納室
２０  クリア部材保持枠本体（ガラス枠本体）
２１  補助金属板
２２  クリア部材としての板ガラス
２３  周縁枠
２４  ガラスユニット
２５  パイロットランプ
２６  レンズ部材
２６′スピーカ用の装飾部材
２７  補助金属片に形成した異物挿入阻止壁
３０  クリア部材保持枠本体の裏面の凹部
３１  レンズ部材の裏側に設ける蛍光管
３３  発光源としての蛍光管
３４  蛍光管の附属的電気部材
３５  取付部
３６  取付ベース
３７  保持具
３８  係止脚部
３９  保持腕
４０，４１  配線コード
４２  配線用開口窓部
４４  レンズカバー
４５  スピーカ
４６  配線コード
４７  高音用スピーカ
５０  切欠部
５１  表示器
５２  表示器用制御装置
５３  配線コード
【図１】
0003664524.tif 000002
【図２】
0003664524.tif 000003
【図３】
0003664524.tif 000004
【図４】
0003664524.tif 000005
【図５】
0003664524.tif 000006
【図６】
0003664524.tif 000007
【図７】
0003664524.tif 000008